(57)【要約】【課題】構造簡単、信号雑音比が高く、安定性がよく、感度がよく、ロジック機能が強い人体赤外線受信処理装置を提供する。【技術手段】拡大回路、スイッチ信号を出力するためのスイッチ制御回路、及び人体赤外線信号を得るための人体赤外線センサーＰＩＲ、そして、光線の輝度信号を得るための感光性チューブＰＨＯＴ、人体赤外線信号へのＡ／Ｄ変換と量子化デジタルフィルタ処理を行い、光線の輝度信号とスイッチ信号を結合、高低レベル信号をロジック制御で出力するための主制御器ＩＣ１、及び高低レベル信号により、動作状態を制御するための外部出力回路を備えてなることを特徴とする。【選択図】  図１
2012134813.tif 000002
【特許請求の範囲】
【請求項１】
拡大回路（１）、スイッチ信号を出力するためのスイッチ制御回路（５）、及び人体赤外線信号を得るための人体赤外線センサーＰＩＲを備えてなり、
また、光線の輝度信号を得るための感光性チューブＰＨＯＴ、人体赤外線信号へのＡ／Ｄ変換及び量子化デジタルフィルタ処理を行い、光線の輝度信号とスイッチ信号を結合、高低レベル信号をロジック制御で出力するための主制御器ＩＣ１、及び高低レベル信号により、動作状態を制御するための外部出力回路（４）を備えてなるものであり、
該主制御器ＩＣ１の型番はＳＤ７８２３、人体赤外線センサーＰＩＲは拡大回路（１）の入力側に、拡大回路（１）の出力側は主制御器ＩＣ１の７番ピンに、スイッチ制御回路（５）の出力側は主制御器ＩＣ１の４番ピンに、感光性チューブＰＨＯＴの出力側は主制御器ＩＣ１の５番ピンに、主制御器ＩＣ１の２番ピンは外部出力回路（４）の入力側に接続していることを特徴とする人体赤外線受信処理装置。
【請求項２】
該拡大回路（１）は、トライオードＱ２、抵抗Ｒ１、Ｒ３、Ｒ５及び電解コンデンサＣ３０を備えてなり、該人体赤外線センサーＰＩＲのＤ極はＱ２のＢ極とＲ１の片側に、Ｒ１の他方側はＱ２のＥ極に、Ｑ２のＥ極は人体赤外線センサーＰＩＲ動作への供給電源に、Ｑ２のＣ極はＲ３の片側に、Ｒ３の他方側は人体赤外線センサーＰＩＲのＳ極とＲ５の片側に、Ｃ３０の正極は人体赤外線センサーＰＩＲのＳ極に接続し、Ｒ５の他方側、Ｃ３０の負極と人体赤外線センサーＰＩＲのＧ極は接地していることを特徴とする請求項１に記載の人体赤外線受信処理装置。
【請求項３】
該Ｑ２の型番はＢＣ８５７、Ｒ１の抵抗値は２．２ＭΩ、Ｒ３の抵抗値は２２０ＫΩ、Ｒ５の抵抗値は２２０ＫΩ、Ｃ３０の静電容量は１００μＦ、人体赤外線センサーＰＩＲの型番はＲＥ２００であることを特徴とする請求項２に記載の人体赤外線受信処理装置。
【請求項４】
該人体赤外線受信処理回路はまた、電源回路（６）と電源サンプリング回路（３）を備えてなり、該電源サンプリング回路（３）は抵抗Ｒ７とＲ８があり、電源回路（６）の出力側はＲ７の片側に、Ｒ７の他方側は主制御器ＩＣ１の６番ピンとＲ８の片側に、Ｒ８の他方側は感光性チューブＰＨＯＴの２番ピンに、感光性チューブＰＨＯＴの１番ピンは主制御器ＩＣ１の５番ピンに接続していることを特徴とする請求項２に記載の人体赤外線受信処理装置。
【請求項５】
該人体赤外線受信処理回路は更に、定電圧とフィルタ回路（７）を備えてなり、定電圧とフィルタ回路（７）は電源定電圧制御器Ｕ１、電解コンデンサＣ１、Ｃ２７、Ｃ３２、Ｃ３３、抵抗Ｒ１９、Ｒ２２を備えてなり、電源定電圧制御器Ｕ１の型番はＨＴ７１３０であり、該電源回路（６）の出力側は電源定電圧制御器Ｕ１の２番ピンとＣ１の正極に、電源定電圧制御器Ｕ１の３番ピンは主制御器ＩＣ１の８番ピン、Ｃ２７の正極とＲ１９の片側に、Ｒ１９の他方側はＣ３２の正極とＲ２２の片側に、Ｒ２２の他方側はＣ３３の正極とＱ２のＥ極に接続し、Ｃ１、Ｃ２７、Ｃ３２、Ｃ３３と電源定電圧制御器Ｕ１の１番ピンはいずれも接地し、主制御器ＩＣ１の１番ピンは接地していることを特徴とする請求項４に記載の人体赤外線受信処理装置。
【請求項６】
該感光性チューブＰＨＯＴの型番はＬ−３２Ｅ０ＰＴＩＣ、Ｒ７の抵抗値は２４０ＫΩ、Ｒ８の抵抗値は２２０ＫΩ、Ｃ１、Ｃ２７、Ｃ３２とＣ３３の静電容量はいずれも１００μＦ、Ｒ１９の抵抗値は３９ＫΩ、Ｒ２２の抵抗値は３．３ＫΩであることを特徴とする請求項５に記載の人体赤外線受信処理装置。
【請求項７】
該電源定電圧制御器Ｕ１の３番ピンの出力電圧&#20540;は、＋２．５Ｖであることを特徴とする請求項５に記載の人体赤外線受信処理装置。
【請求項８】
該人体赤外線受信処理回路はまた更に、低圧指示回路（２）を備えてなり、該低圧指示回路（２）はＬＥＤ２、抵抗Ｒ１４とコンデンサＣ２３を備えてなり、該主制御器ＩＣ１の３番ピンはＬＥＤ２の負極とＣ２３の片側に、ＬＥＤ２の正極とＣ２３の他方側は抵抗Ｒ１４の片側に、抵抗Ｒ１４の他方側は電源定電圧制御器Ｕ１の３番ピンに接続していることを特徴とする請求項５に記載の人体赤外線受信処理装置。
【請求項９】
該スイッチ制御回路（５）は、インターフェースＪ１、Ｊ２、及びＯＮ、ＯＦＦとＡＵＴＯ機能ファイルを有する八ピンスイッチＳＷ１を備えてなり、ＳＷ１の７番ピンは主制御器ＩＣ１の４番ピンとＪ１の２番ピンとＪ２の２番ピンに、Ｊ２の１番ピンはＳＷ１の３番ピンに、Ｊ１の１番ピンは電源回路（６）の入力側に接続していることを特徴とする請求項４に記載の人体赤外線受信処理装置。
【請求項１０】
該外部出力回路（４）はＬＥＤ１、抵抗Ｒ１２、トライオードＱ１、コンデンサＣ５、抵抗Ｒ１０を備えてなり、トライオードＱ１の型番はＡＰＭ２３０２ＡＡであり、該主制御器ＩＣ１の２番ピンはＱ１のＢ極、Ｒ１０の片側とＣ５の片側に接続し、Ｒ１０の他方側、Ｃ５の他方側とＱ１のＥ極はいずれも接地し、Ｑ１のＣ極はＬＥＤ１の負極に、ＬＥＤ１の正極はＲ１２の片側に、Ｒ１２の他方側は電源回路（６）の出力側に接続していることを特徴とする請求項４に記載の人体赤外線受信処理装置。
【発明の詳細な説明】
【技術分野】
【０００１】
本発明は、赤外線受信処理の技術分野に関わり、特に人体赤外線受信処理装置に関する。  
【背景技術】
【０００２】
従来の技術では、人体赤外線受信処理装置はよく見られる紅外線感應制御技術であり、照明器具、防犯アラーム、温度測定などの分野に広く使用されている。人体赤外線受信処理装置は一般的に、人体赤外線センサーＰＩＲ（Ｐａｓｓｉｖｅ  Ｉｎｆｒａｒｅｄ  Ｒａｄｉａｔｉｏｎ）、オペアンプ、制御器と出力回路が含まれている。
人体赤外線センサーＰＩＲの動作原理として、その赤外線センサーは焦電素子であり、人体から放出された赤外線強度の変化を受信したとき、電荷バランスの崩れが発生し、初めて外部へ電流を放出して、人体からの赤外線信号を得ることになっているが、また、該オペアンプはオペアンプＬＭ３２４などを採用するが、例えば、人体赤外線受信処理装置をＬＥＤセンサーライトに使用した場合、人体赤外線センサーＰＩＲの検知した赤外線信号を拡大後、アナログ信号で出力するが、制御器がＬＥＤセンサーライトの動作状態を制御するとき、自動制御効果がある。しかし、従来の人体赤外線受信処理装置は、人体赤外線センサーＰＩＲから出力された微小電力の信号をフィルタし、識別できるロジックの電圧レベルの大きさに拡大して、出力回路を制御することになっているが、温度に影響されやすいアナログ信号、複雑な回路であるため、信号雑音比が低く、信頼性が低く、感度が低く、複雑なロジック制御ができないという欠点がある。  
【発明の概要】
【発明が解決しようとする課題】
【０００３】
本発明は、従来の技術の不十分なところについて、構造簡単、信号雑音比が高く、安定性がよく、感度がよく、ロジック機能が強い人体赤外線受信処理装置を提供することを目的とする。
【課題を解決するための手段】
【０００４】
上述の目的を実現させるため、本発明は次のような技術手段で実施されるが、拡大回路、スイッチ信号を出力するためのスイッチ制御回路、及び人体赤外線信号を得るための人体赤外線センサーＰＩＲ、そして、光線の輝度信号を得るための感光性チューブＰＨＯＴ、人体赤外線信号へのＡ／Ｄ変換と量子化デジタルフィルタ処理を行い、光線の輝度信号とスイッチ信号を結合、高低レベル信号をロジック制御で出力するための主制御器ＩＣ１、及び高低レベル信号により、動作状態を制御するための外部出力回路を備えてなるものであり、
該主制御器ＩＣ１の型番はＳＤ７８２３、人体赤外線センサーＰＩＲは拡大回路の入力側に、拡大回路の出力側は主制御器ＩＣ１の７番ピンに、スイッチ制御回路の出力側は主制御器ＩＣ１の４番ピンに、感光性チューブＰＨＯＴの出力側は主制御器ＩＣ１の５番ピンに、主制御器ＩＣ１の２番ピンは外部出力回路の入力側に接続していることを特徴とする人体赤外線受信処理装置。
【０００５】
該拡大回路は、トライオードＱ２、抵抗Ｒ１、Ｒ３、Ｒ５及び電解コンデンサＣ３０を備えてなり、該人体赤外線センサーＰＩＲのＤ極はＱ２のＢ極とＲ１の片側に、Ｒ１の他方側はＱ２のＥ極に、Ｑ２のＥ極は人体赤外線センサーＰＩＲ動作への供給電源に、Ｑ２のＣ極はＲ３の片側に、Ｒ３の他方側は人体赤外線センサーＰＩＲのＳ極とＲ５の片側に、Ｃ３０の正極は人体赤外線センサーＰＩＲのＳ極に接続し、Ｒ５の他方側、Ｃ３０の負極と人体赤外線センサーＰＩＲのＧ極は接地している。
【０００６】
該Ｑ２の型番はＢＣ８５７、Ｒ１の抵抗値は２．２ＭΩ、Ｒ３の抵抗値は２２０ＫΩ、Ｒ５の抵抗値は２２０ＫΩ、Ｃ３０の静電容量は１００μＦ、人体赤外線センサーＰＩＲの型番はＲＥ２００である。
【０００７】
該人体赤外線受信処理装置はまた、電源回路と電源サンプリング回路を備えてなり、該電源サンプリング回路は抵抗Ｒ７とＲ８があり、電源回路の出力側はＲ７の片側に、Ｒ７の他方側は主制御器ＩＣ１の６番ピンとＲ８の片側に、Ｒ８の他方側は感光性チューブＰＨＯＴの２番ピンに、感光性チューブＰＨＯＴの１番ピンは主制御器ＩＣ１の５番ピンに接続している。
【０００８】
該人体赤外線受信処理装置は更に、定電圧とフィルタ回路を備えてなり、定電圧とフィルタ回路は電源定電圧制御器Ｕ１、電解コンデンサＣ１、Ｃ２７、Ｃ３２、Ｃ３３、抵抗Ｒ１９、Ｒ２２を備えてなり、電源定電圧制御器Ｕ１の型番はＨＴ７１３０であり、該電源回路の出力側は電源定電圧制御器Ｕ１の２番ピンとＣ１の正極に、電源定電圧制御器Ｕ１の３番ピンは主制御器ＩＣ１の８番ピン、Ｃ２７の正極とＲ１９の片側に、Ｒ１９の他方側はＣ３２の正極とＲ２２の片側に、Ｒ２２の他方側はＣ３３の正極とＱ２のＥ極に接続し、Ｃ１、Ｃ２７、Ｃ３２、Ｃ３３と電源定電圧制御器Ｕ１の１番ピンはいずれも接地し、主制御器ＩＣ１の１番ピンは接地している。
【０００９】
該感光性チューブＰＨＯＴの型番はＬ−３２Ｅ０ＰＴＩＣ、Ｒ７の抵抗値は２４０ＫΩ、Ｒ８の抵抗値は２２０ＫΩ、Ｃ１、Ｃ２７、Ｃ３２とＣ３３の静電容量はいずれも１００μＦ、Ｒ１９の抵抗値は３９ＫΩ、Ｒ２２の抵抗値は３．３ＫΩである。
【００１０】
該電源定電圧制御器Ｕ１の３番ピンの出力電圧&#20540;為＋２．５Ｖである。  
該人体赤外線受信処理装置はまた更に、低圧指示回路を備えてなり、該低圧指示回路はＬＥＤ２、抵抗Ｒ１４とコンデンサＣ２３を備えてなり、該主制御器ＩＣ１の３番ピンはＬＥＤ２の負極とＣ２３の片側に、ＬＥＤ２の正極とＣ２３の他方側は抵抗Ｒ１４の片側に、抵抗Ｒ１４の他方側は電源定電圧制御器Ｕ１の３番ピンに接続している。
【００１１】
該スイッチ制御回路は、インターフェースＪ１、Ｊ２、及びＯＮ、ＯＦＦとＡＵＴＯ機能ファイルを有する八ピンスイッチＳＷ１を備えてなり、ＳＷ１の７番ピンは主制御器ＩＣ１の４番ピンとＪ１の２番ピンとＪ２の２番ピンに、Ｊ２の１番ピンはＳＷ１の３番ピンに、Ｊ１の１番ピンは電源回路の入力側に接続している。
【００１２】
該外部出力回路はＬＥＤ１、抵抗Ｒ１２、トライオードＱ１、コンデンサＣ５、抵抗Ｒ１０を備えてなり、トライオードＱ１の型番はＡＰＭ２３０２ＡＡであり、該主制御器ＩＣ１の２番ピンはＱ１のＢ極、Ｒ１０の片側とＣ５の片側に接続し、Ｒ１０の他方側、Ｃ５の他方側とＱ１のＥ極はいずれも接地し、Ｑ１のＣ極はＬＥＤ１の負極に、ＬＥＤ１の正極はＲ１２の片側に、Ｒ１２の他方側は電源回路の出力側に接続している。
【発明の効果】
【００１３】
本発明は、光線の輝度信号を得るための感光性チューブＰＨＯＴ、人体赤外線信号へのＡ／Ｄ変換と量子化デジタルフィルタ処理を行い、光線の輝度信号とスイッチ信号を結合、高低レベル信号をロジック制御で出力するための主制御器ＩＣ１、及び高低レベル信号により、動作状態を制御するための外部出力回路を備えてなるものであり、該主制御器ＩＣ１の型番はＳＤ７８２３であり、人体赤外線センサーＰＩＲは拡大回路の入力側に、拡大回路の出力側は主制御器ＩＣ１の７番ピンに、スイッチ制御回路の出力側は主制御器ＩＣ１の４番ピンに、感光性チューブＰＨＯＴの出力側は主制御器ＩＣ１の５番ピンに、主制御器ＩＣ１の２番ピンは外部出力回路の入力側に接続していることを特徴とする該人体赤外線受信処理装置であり、上述した構造の人体赤外線受信処理装置を採用することにより、人体赤外線センサーＰＩＲから出力された微小電力の信号を、主制御器ＩＣ１がＡ／Ｄ変換と量子化デジタルフィルタ処理を行い、光線の輝度信号とスイッチ信号を結合、高低レベル信号をロジック制御で出力して、外部出力回路を制御するようになり、回路処理の部分が減少され、回路構造が簡単になり、信号雑音比、安定性、感度とロジック功能が有効に向上されるという効果がある。
【図面の簡単な説明】
【００１４】
【図１】本発明の回路図である。
【図２】本発明の定電圧とフィルタ回路の回路図である。
【発明を実施するための形態】
【００１５】
図面により、本発明について更に説明する。
実施例一は、図１と図２に示すように、拡大回路１、スイッチ信号を出力するためのスイッチ制御回路５、及び人体赤外線信号を得るための人体赤外線センサーＰＩＲ、そして、光線の輝度信号を得るための感光性チューブＰＨＯＴ、人体赤外線信号への量子化デジタルフィルタ処理を行い、光線の輝度信号とスイッチ信号を結合、高低レベル信号をロジック制御で出力するための主制御器ＩＣ１、及び高低レベル信号により、動作状態を制御するための外部出力回路４を備えてなる人体赤外線受信処理装置。
【００１６】
上述の人体赤外線受信処理装置の動作原理として、人体赤外線センサーＰＩＲは、極低静的電流による人体紅外線信号の入力方法を採用し、人体赤外線センサーＰＩＲから出力された微小電力の信号を、主制御器ＩＣ１がＡ／Ｄ変換と量子化デジタルフィルタ処理を行い、光線の輝度信号とスイッチ信号を結合、高低レベル信号をロジック制御で出力して、外部出力回路４を制御することになっている。デジタル化処理により、人体赤外線受信処理装置は、温度から影響が少なく、感度が高いこと、ソフト／ハードウェアフィルタにより、抗干渉性が強く、回路処理の部分が減少されるので、回路構造が簡単になり、信号雑音比が高く、信頼性が高いこと、主制御器ＩＣ１は優れたフィルタと信号判断演算法を採用して、ロジック機能が向上、消費電力が低減されること。
【００１７】
該主制御器ＩＣ１の型番はＳＤ７８２３であり、人体赤外線センサーＰＩＲは拡大回路１の入力側に、拡大回路１の出力側は主制御器ＩＣ１の７番ピンに、スイッチ制御回路５の出力側は主制御器ＩＣ１の４番ピンに、感光性チューブＰＨＯＴの出力側は主制御器ＩＣ１の５番ピンに、主制御器ＩＣ１の２番ピンは外部出力回路４の入力側に接続している。  動作の時、光線の輝度信号は、感光性チューブＰＨＯＴによって、電力信号に変換されて、主制御器ＩＣ１の５番ピンへ入力、それから、ＩＣ１がＡ／Ｄ変換と量子化デジタルフィルタ処理を行ってから、後続の運算に用いられることになっている。
【００１８】
該拡大回路１は、トライオードＱ２、抵抗Ｒ１、Ｒ３、Ｒ５、及び電解コンデンサＣ３０を備えてなり、該人体赤外線センサーＰＩＲのＤ極はＱ２のＢ極とＲ１の片側に、Ｒ１の他方側はＱ２のＥ極に、Ｑ２のＥ極は人体赤外線センサーＰＩＲ動作への供給電源に接続し、Ｑ２のＣ極はＲ３の片側に、Ｒ３の他方側は人体赤外線センサーＰＩＲのＳ極とＲ５の片側に、Ｃ３０の正極は人体赤外線センサーＰＩＲのＳ極に接続し、Ｒ５の他方側、Ｃ３０の負極と人体赤外線センサーＰＩＲのＧ極は接地している。動作の時、人体から放出された赤外線信号は、人体赤外線センサーＰＩＲに受信されたあと、電力信号に変換され、それから主にＱ２、Ｒ１、Ｒ３、Ｒ５、Ｃ３０からなる拡大回路１に拡大されたあと、主制御器ＩＣ１の７番ピンへ入力、主制御器ＩＣ１が量子化デジタルフィルタ処理を行ってから、後続の運算に用いられることになっている。
【００１９】
好適な実施形態として、該Ｑ２の型番はＢＣ８５７、Ｒ１の抵抗値は２．２ＭΩ、Ｒ３の抵抗値は２２０ＫΩ、Ｒ５の抵抗値は２２０ＫΩ、Ｃ３０の静電容量は１００μＦ、人体赤外線センサーＰＩＲの型番はＲＥ２００である。もちろん、以上のパラメーターは実際の製品に応じて設定してもよい。
【００２０】
本発明の該人体赤外線受信処理装置は更に、電源回路６、電源サンプリング回路３、定電圧とフィルタ回路７、低圧指示回路２を備えてなり、該電源サンプリング回路３は抵抗Ｒ７とＲ８があり、電源回路６の出力側はＲ７の片側に、Ｒ７の他方側は主制御器ＩＣ１の６番ピンとＲ８の片側に、Ｒ８の他方側は感光性チューブＰＨＯＴの２番ピンに、感光性チューブＰＨＯＴの１番ピンは主制御器ＩＣ１の５番ピンに接続している。該定電圧とフィルタ回路７は、電源定電圧制御器Ｕ１、電解コンデンサＣ１、Ｃ２７、Ｃ３２、Ｃ３３、抵抗Ｒ１９、Ｒ２２を備えてなり、電源定電圧制御器Ｕ１の型番はＨＴ７１３０であり、該電源回路６の出力側は更に電源定電圧制御器Ｕ１の２番ピンとＣ１の正極に、電源定電圧制御器Ｕ１の３番ピンは主制御器ＩＣ１の８番ピン、Ｃ２７の正極とＲ１９の片側に、Ｒ１９の他方側はＣ３２の正極とＲ２２の片側に、Ｒ２２の他方側はＣ３３の正極とＱ２のＥ極に、Ｃ１、Ｃ２７、Ｃ３２、Ｃ３３と電源定電圧制御器Ｕ１の１番ピンはいずれも接地し、主制御器ＩＣ１の１番ピンは接地しているが、該低圧指示回路２はＬＥＤ２、抵抗Ｒ１４とコンデンサＣ２３を備えてなり、該主制御器ＩＣ１の３番ピンはＬＥＤ２の負極とＣ２３の片側に、ＬＥＤ２の正極とＣ２３の他方側は抵抗Ｒ１４の片側に、抵抗Ｒ１４の他方側は電源定電圧制御器Ｕ１の３番ピンに接続している。
【００２１】
電源定電圧制御器Ｕ１は、主制御器ＩＣ１の８番ピンへの入力電源電圧（すなわち、電源定電圧制御器Ｕ１の３番ピンから出力される電圧&#20540;）を安定させるために用いられるが、例えば、定電圧２．５Ｖにするが、Ｃ１  と  Ｃ２７は、電源定電圧制御器Ｕ１に対応のコンデンサであり、Ｒ１９、Ｒ２２、Ｃ３２、Ｃ３３は主に、人体赤外線センサーＰＩＲの電源フィルタネットワークを構成し、人体赤外線センサーＰＩＲの動作電圧へのフィルタ処理を行うものであり、電源サンプリング回路３は、電源電圧の情報を主制御器ＩＣ１の６ピンへ送るが、電源サンプリング回路３が電源定電圧制御器Ｕ１の動作電圧が低すぎたと検知したとき、低圧指示回路２のＬＥＤ２が点灯し、ユーザに電源交換を行うよう知らせることになり、本発明の電源回路６は、充電池からなる場合でもよい。
【００２２】
好適な実施形態として、該感光性チューブＰＨＯＴの型番はＬ−３２Ｅ０ＰＴＩＣ、Ｒ７の抵抗値は２４０ＫΩ、Ｒ８の抵抗値は２２０ＫΩ、Ｃ１、  Ｃ２７、Ｃ３２とＣ３３の静電容量はいずれも１００μＦ、Ｒ１９の抵抗値は３９ＫΩ、Ｒ２２の抵抗値は３．３ＫΩである。もちろん、以上のパラメーターは実際の製品に応じて設定してよい。
【００２３】
好適な実施形態として、該スイッチ制御回路５は、インターフェースＪ１、Ｊ２、及びＯＮ、ＯＦＦとＡＵＴＯ機能ファイルを有する八ピンスイッチＳＷ１を備えてなり、ＳＷ１の７番ピンは主制御器ＩＣ１の４番ピンとＪ１の２番ピン及Ｊ２の２番ピンに、Ｊ２の１番ピンはＳＷ１の３番ピンに、Ｊ１の１番ピンは電源回路６の入力側に接続し、スイッチ制御回路５は、高低レベル信号を主制御器ＩＣ１の４番ピンへ出力し、Ｏ  Ｎ、ＯＦＦとＡＵＴＯ三動作状態を含み回路全体の動作状態、を制御するように用いられる。
【００２４】
本発明の該人体赤外線受信処理装置は、ＬＥＤセンサーライトに応用されるための好適な実施形態として、該外部出力回路４はＬＥＤ１、抵抗Ｒ１２、トライオードＱ１、コンデンサＣ５、抵抗Ｒ１０を備えてなり、トライオードＱ１の型番はＡＰＭ２３０２ＡＡであり、該主制御器ＩＣ１の２番ピンはＱ１のＢ極、Ｒ１０の片側とＣ５の片側に接続し、Ｒ１０の他方側、Ｃ５の他方側とＱ１のＥ極はいずれも接地し、Ｑ１のＣ極はＬＥＤ１の負極に、ＬＥＤ１の正極はＲ１２の片側に、Ｒ１２の他方側は電源回路６の出力側に接続しているが、上述の外部出力回路４はＬＥＤ制御回路を構成し、主制御器ＩＣ１の２番ピンは、高低レベル信号をＱ１のＢ極へ出力、Ｑ１の接続切断を制御して、ＬＥＤ１の点灯または消灯を制御することになっている。上述の好適な実施形態における回路構造において、外部出力回路４はまた、実際の製品ニーズに応じて設計してもよい。
【００２５】
実施例二は、実施例一との相違点と言えば、本発明の人体赤外線受信処理装置における外部出力回路４は、防犯アラームの駆動回路であること。この場合、人体赤外線受信処理回路は、防犯アラーム分野に用いられるが、防犯アラーム駆動回路は、実際の製品ニーズに応じて設計してもよい。
【００２６】
実施例三は、実施例一との相違点と言えば、本発明の人体赤外線受信処理装置の外部出力回路４は、温度測定駆動回路であること、この場合、人体赤外線受信処理装置は、温度測定分野に用いられるが、温度測定駆動回路は、実際の製品ニーズに応じて設計してもよい。もちろん、本発明の該人体赤外線受信処理装置は更に、その他の分野に応用してもよく、該外部出力回路４はそれに応じて設計してもよい。
【００２７】
上述は、本発明の好適な実施形態について説明する内容のみであり、本発明の特許請求の範囲に該当する構造、特徴や原理に基づいて行った変化や改造は、いずれも、本発明の特許請求の範囲に属するものとする。  
【符号の説明】
【００２８】
１    拡大回路
２    低圧指示回路
３    電源サンプリング回路
４    外部出力回路
５    スイッチ制御回路
６    電源回路
７    定電圧とフィルタ回路
【図１】
2012134813.tif 000003
【図２】
2012134813.tif 000004
【手続補正書】
【提出日】平成22年12月22日(2010.12.22)
【手続補正１】
【補正対象書類名】明細書
【補正対象項目名】００１０
【補正方法】変更
【補正の内容】
【００１０】
該電源定電圧制御器Ｕ１の３番ピンの出力電圧値は＋２．５Ｖである。
該人体赤外線受信処理装置はまた更に、低圧指示回路を備えてなり、該低圧指示回路はＬＥＤ２、抵抗Ｒ１４とコンデンサＣ２３を備えてなり、該主制御器ＩＣ１の３番ピンはＬＥＤ２の負極とＣ２３の片側に、ＬＥＤ２の正極とＣ２３の他方側は抵抗Ｒ１４の片側に、抵抗Ｒ１４の他方側は電源定電圧制御器Ｕ１の３番ピンに接続している。
【手続補正２】
【補正対象書類名】明細書
【補正対象項目名】００２１
【補正方法】変更
【補正の内容】
【００２１】
電源定電圧制御器Ｕ１は、主制御器ＩＣ１の８番ピンへの入力電源電圧（すなわち、電源定電圧制御器Ｕ１の３番ピンから出力される電圧値）を安定させるために用いられるが、例えば、定電圧２．５Ｖにするが、Ｃ１  と  Ｃ２７は、電源定電圧制御器Ｕ１に対応のコンデンサであり、Ｒ１９、Ｒ２２、Ｃ３２、Ｃ３３は主に、人体赤外線センサーＰＩＲの電源フィルタネットワークを構成し、人体赤外線センサーＰＩＲの動作電圧へのフィルタ処理を行うものであり、電源サンプリング回路３は、電源電圧の情報を主制御器ＩＣ１の６ピンへ送るが、電源サンプリング回路３が電源定電圧制御器Ｕ１の動作電圧が低すぎたと検知したとき、低圧指示回路２のＬＥＤ２が点灯し、ユーザに電源交換を行うよう知らせることになり、本発明の電源回路６は、充電池からなる場合でもよい。
【手続補正３】
【補正対象書類名】特許請求の範囲
【補正対象項目名】請求項７
【補正方法】変更
【補正の内容】
【請求項７】
該電源定電圧制御器Ｕ１の３番ピンの出力電圧値は、＋２．５Ｖであることを特徴とする請求項５に記載の人体赤外線受信処理装置。